(57)【要約】      （修正有）【課題】視線や光を遮ったり、光が透過する光量を調整したりするという機能を果たすことが出来るだけでなく、千変万化する幾何学的な装飾模様を醸し出すことが出来るようにした装飾調光装置及び装飾模様の変容兼光量の調整方法を提供する。【解決手段】本装飾調光装置は、重ね合わされた状態で相対的に変位可能な複数枚のシートを備えている。シートは透光部分と遮光部分とを有している。シートの少なくとも１組２枚は、長方形の全角部とその中心との合計５箇所を基本ユニットとし、基本ユニットの隣り合う２つの辺の長さを２次元に繰り返すか、若しくは一辺の長さとその辺の端部から対角線をなす線との角とでもって規定できる長方形を２次元に繰り返すことで規定されるような規則性をもった位置を共通にしている。【選択図】図１
2018034479.tif 000002
【特許請求の範囲】
【請求項１】
重ね合わされた状態で相対的に変位可能な複数枚のシートを備えた装飾調光装置において、前記シートは透光部分と遮光部分とを有し、前記シートの少なくとも１組２枚は、長方形の角部の４箇所とその中心との合計５箇所を基本ユニットとして備えており、該基本ユニットの隣り合う２つの辺の長さを２次元に繰り返すか、若しくは、一辺の長さと、その辺の一端から特定の角度を成す直線を引き、前記一辺の他端から垂直線を立てた線との交点を第３の点とする長方形を２次元に繰り返すことで規定されるような規則性をもった位置を共通にし、内１枚のシートは前記規則性の各位置に透光部分が在り、他の１枚のシートは前記規則性の各位置に遮光部分が在るのみならず、前記シートの少なくとも１組２枚において、少なくとも１枚は面内で回転可能であることを特徴とする装飾調光装置。
【請求項２】
前記シートの少なくとも１組２枚において、少なくとも１枚は面内で一定方向に直線状に前進、及び／又は後退可能である事を特徴とする請求項１に記載の装飾調光装置。
【請求項３】
前記シートは、透明シートによって成形され、前記遮光部分が印刷法でもって透明シートに形成されてなる事を特徴とする請求項１又は請求項２に記載の装飾調光装置。
【請求項４】
請求項１ないし請求項３のいずれか一項に記載の装飾調光装置を使用する装飾兼調光の変容方法であって、前記いずれかのシートを他のシートに対して相対的に回転運動させ、及び／又は前記いずれかのシートを他のシートに対して相対的に直進運動させることを特徴とする装飾模様の変容兼光量の調整方法。
【請求項５】
前記シートの回転運動及び／又は直進運動の速度が可変であり、及び／又は一時停止が可能とされていることを特徴とする請求項４に記載の装飾模様の変容兼光量の調整方法。
【請求項６】
前記回転運動及び直進運動がそれぞれ、独立して運動できるとともに、独立して停止することができ、更に連動した運動が自在とされていることを特徴とする請求項５に記載の装飾模様の変容兼光量の調整方法。
【発明の詳細な説明】
【技術分野】
【０００１】
本発明は、ショーウインドウや窓、或いはパーテーションなどにおいて、光や視線を遮断又は調整することにより、視線を引き付けるような幾何学的な装飾模様が出現し、その装飾模様が千変万化できるようにするとともに、光が透過する光量を調整できるようにした装飾調光装置及び装飾模様の変容兼光量の調整方法に関する。
【背景技術】
【０００２】
重なり合った２枚の遮光板の相対位置を変化させることで、文字や図形などの表示内容を切り替えたり、明暗模様が目障りにならないようにした調光装置などが提供されている。
【０００３】
例えば、特許文献１に記載された調光装置は、２枚の遮光板のそれぞれに複数の遮光部と透光部とが施され、２枚の遮光板を重ね合わせ、相対位置を変化させることで、所定の図柄や文字を表示／非表示にする。この調光装置は、例えば、一方の遮光板に“ＯＰＥＮ！”と“ＣＬＯＳＥＤ”といった文字が施され、２枚の遮光板の重なり状態によって、いずれかの文字が見えるようにされている。
【０００４】
また、特許文献２に記載された調光装置は、遮光部と透光部とを併せ持つ２枚の調光板を平行に対向配置して、その相対位置を変化させ、単純な模様を出現させ調光する。この調光装置は、異なる調光板を組み合わせると、異なる模様を得ることが出来る。
【０００５】
また、特許文献３に記載された光透過スクリーンは、線画若しくは絵画を構成するモチーフを有する２枚のスクリーンを備え、この２枚のスクリーンを重ね合わせて移動させることで、色や形状を変えることを可能にしている。
【０００６】
また、特許文献４に記載されたモアレを用いたディスプレイは、複数のモアレシートを備え、このモアレシートが角度変化を伴わない回転又は揺動運動することで、装飾効果を高めるようにしている。
【先行技術文献】
【特許文献】
【０００７】
【特許文献１】特開平９−６７９８４号公報
【特許文献２】特開平１１−３４６６２号公報
【特許文献３】特表平８−５０５１９４号公報
【特許文献４】登録実用新案第３０６４１７８号公報
【発明の概要】
【発明が解決しようとする課題】
【０００８】
特許文献１や特許文献２に記載された調光装置は、人目や太陽光を遮るためのものであるが２種類の簡単な幾何学模様を重ねて相対的に運動させることで、簡単な図柄が現れ、或いは、図柄が簡単に変化する装飾機能を備えている。
【０００９】
しかし、このような装飾機能は、図柄の原型が予め準備されているため、図柄が十分に予想される範囲で小さく変化するにしか過ぎず、人目を引きつけるように千変万化することもない。
【００１０】
他方、特許文献３に記載された光透過スクリーンや、特許文献４に記載されたモアレを用いたディスプレイは、視線や光を遮ったり、光が透過する光量を調整したりすることができない。
【００１１】
そこで、本発明は、視線や光を遮ったり、光が透過する光量を調整したりするという機能を果たすことが出来るだけでなく、千変万化する幾何学的な装飾模様を醸し出すことが出来るようにした装飾調光装置及び装飾模様の変容兼光量の調整方法を提供することを課題とする。
【課題を解決するための手段】
【００１２】
本発明に係る装飾調光装置は、重ね合わされた状態で相対的に変位可能な複数枚のシートを備えた装飾調光装置において、前記シートは透光部分と遮光部分とを有し、前記シートの少なくとも１組２枚は、長方形の角部の４箇所とその中心との合計５箇所を基本ユニットとして備えており、該基本ユニットの隣り合う２つの辺の長さを２次元に繰り返すか、若しくは、一辺の長さと、その辺の一端から特定の角度を成す直線を引き、前記一辺の他端から垂直線を立てた線との交点を第３の点とする長方形を２次元に繰り返すことで規定されるような規則性をもった位置を共通にし、内１枚のシートは前記規則性の各位置に透光部分が在り、他の１枚のシートは前記規則性の各位置に遮光部分が在るのみならず、前記シートの少なくとも１組２枚において、少なくとも１枚は面内で回転可能であることを特徴としている。
【００１３】
この装飾調光装置によれば、１組２枚の各シートに透光部分と遮光部分とが在り、２枚のシートが相対的に変位すると、透光部分と遮光部分とが同じ基本ユニットを繰り返すことで規定されているため、透光部分と遮光部分との重なった状態が変更され、複数枚のシートを貫く透光部の面積が増減することにより、視線や光量を調整したり遮ったりするという調光装置としての機能を果たすことが出来るだけでなく、透光部と遮光部とが織り成す模様そのものやその変容振りが、予想を遥かに超えて千変万化するので、人の目を惹き付け、その変容に見入らせてしまう。
【００１４】
そして、この装飾調光装置がショーウインドウに適用された場合にあっては、光を遮る部分が減少してゆき、調光装置の模様の向こう側からやってくる店舗室内からの光が溢れるとき、模様に惹き付けられた人の興味は模様の向こう側の光の空間へと移り、店舗室内の様子や室内の展示物へと興味の対象が移る。
【００１５】
また、前記本発明に係る装飾調光装置の一態様は、前記シートの少なくとも１組２枚において、少なくとも１枚は面内で一定方向に直線状に前進、及び／又は後退可能であってもよい。
【００１６】
また、前記本発明に係る装飾調光装置の他態様として、前記シートは、透明シートによって成形され、前記遮光部分は印刷法でもって形成されていてもよい。
【００１７】
本発明に係る装飾模様の変容兼光量の調整の方法は、前記本発明に係る装飾調光装置を使用し、前記いずれかのシートを他のシートに対して相対的に回転運動させ、及び／又は前記いずれかのシートを他のシートに対して相対的に直進運動させる。
【００１８】
前記本発明に係る装飾模様の変容兼光量の調整の方法の一態様は、前記シートの回転運動及び／又は直進運動の速度が可変であり、及び／又は一時停止が可能とされていることが好ましい。
【００１９】
この場合は、前記回転運動及び直進運動がそれぞれ、独立して運動できるとともに、独立して停止することができ、更に連動した運動が自在とされていることが好ましい。
【発明の効果】
【００２０】
本発明によれば、視線や光を遮ったり、光が透過する光量を調整したりするという機能を果たすことが出来るだけでなく、千変万化する模様を醸し出すことが出来るようにした装飾調光装置及び装飾模様の変容兼光量の調整方法を提供することができる。
【図面の簡単な説明】
【００２１】
【図１】本発明に係る装飾調光装置の一実施形態を示す概略図である。
【図２】（ａ）〜（ｅ）は、本発明に係る装飾調光装置に備えられた透光部又は遮光部の位置を規定する基本ユニットの例であって、それぞれ異なる例を示す概略図である。
【図３】（ａ）（ｂ）は、本発明に係る装飾調光装置に備えられたシートの一例を示す概略図である。
【図４】（ａ）〜（ｈ）は、図３に示したシートを相対的に回転運動させることによって創り出された幾何学的な装飾模様を示す概略図である。
【図５】（ａ）（ｂ）は、本発明に係る装飾調光装置に備えられたシートの他例を示す概略図である。
【図６】（ａ）〜（ｈ）は、図５に示したシートを相対的に回転運動させることによって創り出された幾何学的な装飾模様を示す概略図である。
【図７】（ａ）（ｂ）は、本発明に係る装飾調光装置に備えられたシートの異なる他例を示す概略図である。
【図８】（ａ）〜（ｈ）は、図７に示したシートを相対的に回転運動させることによって創り出された幾何学的な装飾模様を示す概略図である。
【図９】（ａ）（ｂ）は、本発明に係る装飾調光装置に備えられたシートの異なる他例を示す概略図である。
【図１０】（ａ）〜（ｈ）は、図９に示したシートを相対的に回転運動させることによって創り出された幾何学的な装飾模様を示す概略図である。
【図１１】（ａ）（ｂ）は、本発明に係る装飾調光装置に備えられたシートの異なる他例を示す概略図である。
【図１２】（ａ）〜（ｈ）は、図１１に示したシートを相対的に回転運動させることによって創り出された幾何学的な装飾模様を示す概略図である。
【図１３】（ａ）（ｂ）は、本発明に係る装飾調光装置に備えられたシートの異なる他例を示す概略図である。
【図１４】（ａ）〜（ｈ）は、図１３に示したシートを相対的に回転運動させることによって創り出された幾何学的な装飾模様を示す概略図である。
【図１５】本発明に係る装飾調光装置に備えられた回転駆動装置の一実施形態を示す要部概略斜視図である。
【図１６】本発明に係る装飾調光装置に備えられた回転駆動装置と直線運動装置の一実施形態を示す概略正面図である。
【図１７】（ａ）（ｂ）は、本発明に係る装飾調光装置に備えられた３枚のシートを重ねて相対的に回転運動させることによって創り出された幾何学的な装飾模様を示す概略図である。
【図１８】本発明に係る装飾調光装置の他の実施態様を示す概略正面図である。
【図１９】（ａ）〜（ｆ）は、本発明に係る装飾調光装置に備えられたシートを横方向に相対的に直線移動させることによって作り出された幾何学的な装飾模様を示す概略図である。
【発明を実施するための形態】
【００２２】
本発明に係る装飾調光装置及び装飾模様の変容兼光量の調整方法の一実施形態について図に沿って説明する。図１は、本発明に係る装飾調光装置を備えたショーウインドウ１を示している。ショーウインドウ１は、下部の目隠し部２と装飾部３、及び上部の日差し防止部４とを備えている。装飾部３には、本発明の装飾調光装置からなる装飾調光部５，６，７が備えられている。
【００２３】
装飾部３は、装飾調光部５，６，７と、装飾調光装置の枠や本発明のシート１０１，１０２（図３〜図１７参照）を把持したり運動を行う為の装置などやそれらを固定する部分などを隠した部分とから成る。
【００２４】
本発明は幾何学的な装飾模様の変容と光量の調整とを可能とする。これは、複数枚のシート１０１，１０２のそれぞれが、その平面内の規則性をもった位置に、遮光部分と透光部分とを有し、且つそれぞれのシート１０１，１０２が面内で相対的に変位することにより、重なった複数枚のシート１０１，１０２を貫く透光部のそれぞれの面積が増減すると共に、透光部分が遮光部分との対比で幾何学的な装飾模様を成すためである。
【００２５】
なお、複数枚のシート１０１，１０２のいずれかは、磁性体によって形成され、他のいずれかは、マグネットによって形成されている。こうすることで、複数枚のシート１０１，１０２が重なり合った所定の相対位置の状態を維持することができる。
【００２６】
前記透光部分の規則性を持った位置は、例えば図２に示すような基本ユニットＡ−２．２，Ｂ−１．５，Ｃ−１．７，Ｄ−１．４，Ｅ−１．４によって構成されている。
【００２７】
図２（ａ）に示す基本ユニットＡ−２．２は、シート１０１に直径２．２ｍｍの円形の透明部分を設け、透明部分の周囲を遮光部分としている。そして、基本ユニットＡ−２．２は、縦方向が２．５ｍｍ、横方向が４．３４ｍｍの長方形の４箇所の頂点とその中心の計５箇所の位置を特定している。
【００２８】
この基本ユニットＡ−２．２は、縦方向に２．５ｍｍピッチで繰り返し、横方向に４．３４ｍｍピッチで繰り返すと共に、前記中心位置も同様に繰り返してゆくことにより、２次元のシートに規則性のある位置の遮光部分と透光部分が決まる。
【００２９】
あるいは、基本ユニットＡは図示しないが、一辺４．３４ｍｍの一端から３０度の角度を成す直線を引き、前記一辺の他の端から垂線を引いた直線との交点を第３の頂点とする長方形、及びその中心の計５点を基本ユニットとする事が出来る。前記長方形で、長さ４．３４ｍｍと３０度の角度成す直線は対角線である。該ユニットは、図２の基本ユニット（ａ）とは異なるが近似しているので、説明を簡略にするため、本発明は図２の基本ユニットでもって説明する。
【００３０】
図２（ｂ）（ｃ）（ｄ）（ｅ）は、基本ユニットＢ−１．５、Ｃ−１．７、Ｄ−１．４、Ｅ−１．４を示している。因みに、図２（ｅ）に示すＥ−１．４は、一辺の長さが２．５ｍｍの正方形とその中心の計５箇所が２次元に繰り返されており、前記箇所に直径１．４ｍｍの透光部分がある事を示している。つまり、本発明において正方形は長方形の一形態であるとしている。尚、図２の基本ユニットで、長方形の長辺と対角線が成す角度を、（ｂ）（ｃ）（ｄ）（ｅ）それぞれ３３°、２７．５°、５１°、及び４５°とした、別の基本ユニットを設定することは可能ではあるが、前述の理由で省略する。
【００３１】
任意の形状（例えば円形）の遮光部分は、例えば印刷法でもって透明なシート１０１の前記規則性のある位置に施せば完成する。
【００３２】
前記規則性Ａ−２．２を基本ユニットとする透光部分を設けたシート１０１と対をなすシート１０２は、図２（ａ）に示す基本ユニットＡ−２．２の各位置に直径２．０ｍｍの遮光部分を設け、他の部分を透光部分としている。この遮光部分を設けた基本ユニットをＡ’−２．０と定義する。他の基本ユニットＢ，Ｃ，Ｄ，Ｅと対をなす基本ユニットＢ’，Ｃ’，Ｄ’，Ｅ’も同様とする。
【００３３】
本発明において、透光部分及び遮光部分の形状は、円形に限らず楕円形や多角形、星形など任意である。透明シートに遮光部分を印刷する場合は、透光部分の大きさやその形状に制限は無い。但し、不透明なシートから透光部分の形状を加工して取り除く場合は、シートとしての機械強度が必要なので、形状・大きさに制限がある。
【００３４】
尚、透光部分及び遮光部分が円以外の形状の場合の直径の定義は、その面積を円換算した場合の直径とするとともに、その面積重心位置を規則性の在る位置に一致させるものとする。
【００３５】
そして、シート１０１，１０２は、基本ユニットＡ−２．２において説明したように、基本ユニットＡ〜Ｅ，Ａ’〜Ｅ’ の隣り合う２つの辺の長さを２次元に繰り返すか、若しくは、一辺の長さとその辺の端部から対角線をなす線との角度とでもって規定できる長方形を２次元に繰り返すことで規定されるような規則性をもった位置を共通にしている。
【００３６】
図３（ａ）は、基本ユニットＡ−２．０を繰り返し設けた第１シート１０１である。図３（ｂ）は、基本ユニットＡ’−２．０を繰り返し設けた第２シート１０２である。
【００３７】
図４（ａ）に示すように、第１シート１０１の上に第２シート１０２を重ね、第１シート１０１を停止したまま、第２シート１０２を回転させると、図４（ｂ）〜（ｈ）（図中の３°，６°…は第２シート１０２の回転角度）に示すような幾何学的な装飾模様が出現する。
【００３８】
図は、それぞれ特定の角度で出現する図柄を示しているが、実際は、２枚のシートの相対的角度が連続的に変化するため、図柄も連続的に変容する（以下同じ。）。
【００３９】
図４では、透光部分（白い部分）が視覚的には後退し、遮光部分（黒い部分）が幾何学的な装飾模様を構成している印象の図柄となっている。
【００４０】
基本ユニットＡ−２．０の開口率（光を通す透明な部分の面積割合）は０．５７９であり、基本ユニットＡ’−２．０の開口率は０．４２１である。図４（ａ）に示すように、第１シート１０１だけでなく、第２シート１０２も相対的に回転させる事無く重ねた状態では、理論上の開口率は０になるが、現実には、透明なシートの厚み部分を通じてわずかな光が漏れる。
【００４１】
この漏れた光は、日常生活の調光やショーウインドウへ適用したときに差し障りがなく、視線が完全にシャットアウトされる。このように、光の透過率を変化・調整することで、ショーウインドウの向こう側からこちら側に来る光量を調整することができる（以下に説明する図５〜図１４も同じ）。
【００４２】
基本ユニットＡ’−２．０に限らず、規則性のある位置に遮光部分を設ける場合、不透明なシートに透光部分を加工するという方法を採用することは困難である。遮光部分の形状が円形や多角形、ハート型などで遮光率が低い形状では、遮光部分の面積割合が小さいので遮光部同士が繋がることが無く、遮光部分を規則性のある位置に固定出来ないからである。
【００４３】
この場合は、透明なシートに遮光部を印刷する（印刷法）。印刷法に拠れば、遮光部分の形状は任意であり、バリエーションが飛躍的に増えるため、装飾性、或いはショーウインドウで採用するには好適となる。
【００４４】
図５（ａ）（ｂ）は、ともに基本ユニットＡ’−２．０を繰り返し設けたシート１０２（図４（ｂ）の第２シート１０２と同じであるため、「第２シート１０２」という。）である。
【００４５】
２枚の第２シート１０２を図６（ａ）に示すように重ねて相対的に回転させると、図６（ｂ）〜（ｈ）に（図中の３°，６°…は第２シート１０２の回転角度）に示すような幾何学的な装飾模様が出現する。基本ユニットＡ’−２．０の最大開口率（透光率）は０．４２１で、幾何学的な装飾模様は、図４とは異なり、開口部（光透過部分）が主役となって幾何学的な装飾模様を構成した特徴のある図柄となっている。
【００４６】
図７（ａ）（ｂ）は、ともに基本ユニットＡ−２．０を繰り返し設けたシート１０１（図４（ａ）の第１シート１０１と同じであるため、「第１シート１０１」という。）である。
【００４７】
２枚の第１シート１０１を図８（ａ）に示すように重ねて相対的に回転させると、図８（ｂ）〜（ｈ）（図中の３°，６°…は第２シート１０２の回転角度）に示すような幾何学的な装飾模様が出現する。基本ユニットＡ−２．０の最大開口率が０．５７９なので随分明るく、光が六角形を構成する幾何学的な装飾模様となっている。
【００４８】
基本ユニットＡ２．０に替えて基本ユニットＡ２．２を採用すると、最大開口率が０．７００となって更に明るくなる。
【００４９】
図９（ａ）は、基本ユニットＡ−２．２を繰り返し設けた第１シート１０１である。図９（ｂ）は、基本ユニットＡ’−１．８を繰り返し設けた第２シート１０２である。
【００５０】
図１０（ａ）に示すように、第１シート１０１の上に第２シート１０２を重ね、第１シート１０１を停止したまま、第２シート１０２を回転させると、図１０（ｂ）〜（ｈ）（図中の３°，６°…は第２シート１０２の回転角度）に示すような幾何学的な装飾模様が出現する。図１０の幾何学的な装飾模様は、図４の幾何学的な装飾模様に比べて開口率が大きいので明るい印象となっている。
【００５１】
図１０（ａ）に示す相対的に回転させない（０°）場合は、遮光率が最大であるが、開口率（透光率）は０．２３１６もあるので、完全に遮断されていない。
【００５２】
図１１（ａ）は、基本ユニットＡ−２．２の遮光部分の最も狭い部分を中心に長さ方向に０．４ｍｍカットしてその部分を透光部に組み込んだ第１シート１０１である。前記カットを「あき０．４ｍｍ」と表記している。図１１（ｂ）は、基本ユニットＡ’−１．８を繰り返し設けた第２シート１０２である。
【００５３】
図１２（ａ）に示すように、第１シート１０１の上に第２シート１０２を重ね、第１シート１０１を停止したまま、第２シート１０２を回転させると、図１２（ｂ）〜（ｈ）（図中の３°，６°…は第２シート１０２の回転角度）に示すような幾何学的な装飾模様が出現する。図１２の幾何学的な装飾模様は、図１０の幾何学的な装飾模様に比べて少し明るくなっている。
【００５４】
但し、この基本ユニットＡ−２．２の遮光部分及び基本ユニットＡ’−１．８の遮光部分は、共に印刷法で作成する。
【００５５】
図１３（ａ）は、基本ユニットＡ−２．２を繰り返し設けた第１シート１０１である。図１３（ｂ）は、基本ユニットＡ’−１．２を繰り返し設けた第２シート１０２である。
【００５６】
図１４（ａ）に示すように、第１シート１０１の上に第２シート１０２を重ね、第１シート１０１を停止したまま、第２シート１０２を回転させると、図１４（ｂ）〜（ｈ）（図中の３°，６°…は第２シート１０２の回転角度）に示すような幾何学的な装飾模様が出現する。開口率は最も小さくても０．４９１５と大きいので、透光率が大きく明るい模様、及び調光となる。模様は上品さを漂わせているが、細部を見ると複雑である。
【００５７】
上述の様に、本発明に係る装飾調光装置におけるショーウインドウおいては様々な幾何学的な装飾模様の変容と調光とを実現できる。図２（ｂ）〜（ｃ）に示した基本ユニットＢ〜Ｅにおいても、幾何学的な装飾模様が出現し光量を調整することができる。そしてその変化は図４、図６、図８、図１０、図１２、図１４とは異なるが、類似のバリエーションの幾何学的な装飾模様の変容と調光とを実現することが可能である。
【００５８】
図１５は、本発明に係る装飾調光装置に備えられた駆動機構を示している。この駆動機構は、円状のシート１０２の外周部を装着し、外歯車を形成した従動歯車８と、この従動歯車に噛み合う原動歯車１０と、この原動歯車１０を駆動させるステッピングモーター９と、このステッピングモーター９を制御するコントローラ（図示せず）を備えている。なお、駆動機構は、必要に応じて図示しない減速機を備える。
【００５９】
そして、ステッピングモーター９は、コントローラの操作により、回転、変速、停止、逆転する。これらの動作によってシート１５が回転、変速、停止、逆転する。
【００６０】
この従動歯車８に装着されたシート１５には、回転しないシート（図１５において図示せず）が重ね合わされ、従動歯車８が回転、逆転することで、幾何学的な装飾模様が出現する。
【００６１】
図１６は、シートを３枚使用する場合の装飾調光装置に備えられた駆動機構を示している。この駆動機構は、帯状の１枚のシート１２を左右方向に往復動させるために、間隔を空けて鉛直姿勢に配置された一対の駆動ローラー１１，１１と、この一対の駆動ローラー１１，１１の間に配置され、第１円状のシート１５の外周部を装着し、外歯車を形成した従動歯車１６と、この従動歯車１６に噛み合う原動歯車１３と、図示しない第２円状のシート１７の外周部を装着し、外側歯車を形成した従動歯車１８と、この従動歯車１８に噛み合う原動歯車１４とを備えている。
【００６２】
図示しないが、駆動機構は、さらに、一対の駆動ローラー１１，１１と一対の原動歯車１３，１４とをそれぞれ駆動させるステッピングモーターを備えている。一対の駆動ローラー１１，１１を駆動させる一対のステッピングモーターは、同一方向に同一速度で回転する。各原動歯車１３，１４を駆動させる一対のステッピングモーターは、同一方向に異なる速度で回転してもよいし、反対方向に任意の速度で回転してもよい。
【００６３】
一対の駆動ローラー１１，１１が周方向に回転することで、帯状のシート１２が、一方の駆動ローラー１１から繰り出され、他方の駆動ローラー１１に巻き取られるようにして直線移動する。一方、円状のシート１５、１７が従動歯車１６，１８によってそれぞれ回転することで、図１７（ａ）（ｂ）に示すような幾何学的な装飾模様が出現する。尚、図１７（ａ）、（ｂ）は、３枚のシート１２，１５，１７の基本ユニットがいづれもＣ−１．０である。
【００６４】
円状のシート１５，１７の基本ユニットは、２枚とも同一であっても良く、異なっていても良い。また、帯状のシート１２は、円状のシート１５、１７の基本ユニットのいずれかと同一であっても良く、異なっていても良い。尚、図１５、図１６の円内の模様は、説明の為の嵌め込み図である。
【００６５】
図１７（ａ）は、帯状のシート１２に対して１枚の円状のシート１５を帯状のシート１２に対して３°時計方向に傾け、更に他の１枚の円状のシート１７を帯状のシート１２に対して１０°時計方向に傾けた場合に出現する幾何学的な装飾模様である。（回転角が判る様に四辺形で図示）
【００６６】
図１７（ｂ）は、帯状のシート１２に対して１枚の円状のシート１５（回転角が判る様に四辺形で図示）を３°時計方向に傾け、更に他の１枚の円状のシート１７（回転角が判る様に四辺形で図示）を３０°時計方向に傾けた場合に現れる幾何学的な装飾模様である。
【００６７】
３枚のシート１２，１５，１７を組み合わせ場合には、２枚のシート１０１，１０２を組み合わせた場合と異なる特徴的な幾何学的な装飾模様が出現する。この幾何学的な装飾模様は、各シート１２，１５，１７の相対回転及び／又は相対直線移動によって、連続的に変化する。
【００６８】
図１７に示す模様は、駆動装置を制御することで、或る模様で留まっていたり、ゆっくり変化したり、或いはスピード感のある変化を見せることが出来る。更に、図１６の場合、シート１２，１５，１７が３枚、或いは２枚として振舞うことが可能である。
【００６９】
装飾調光装置は、シート１２が、基本ユニットＣ−１．０以外に基本ユニットＣ’−１．０の部分を備えておれば、基本ユニットＣ−１．０を有する円状のシート１５との組み合わせによって、完全遮閉が実現するので、店舗の営業が終了した時点で視線を遮断するブラインドとして機能する。
【００７０】
本発明において、図２に５例を示した基本ユニットＡ〜Ｅは、相似形に拡大又は縮小することは差し支えない。人が近くで見る場合は、図２に示した繰り返し寸法が見易いが、大きな面積の模様を比較的離なれて見る場合は、例えば２．５倍、或いは更に拡大することは視認性を高めるためには有効である。
【００７１】
但し、例えば図２に示した原型と、前記原型の縮小又は拡大との組み合わせにおいては、必ずしも視覚的に興趣が湧く模様が得られないので、大型のショーウインドウ等を製作する場合は予め確認が必要である。
【００７２】
図１８は、本発明に係る装飾調光装置の実施形態である日差し防止装置４を示している。日差し防止装置４は、ショーウインドウの上部に設置されており、店舗内への太陽光の入射を調光する事が目的である。
【００７３】
日差し防止装置４は、帯状の第１シート１７を左右方向に往復動させるために、間隔を空けて鉛直姿勢に配置された一対の駆動ローラー１６，１６と、このシートと直交する帯状の第２シート１９を上下方向に往復動させるために、間隔を空けて水平姿勢で第１シート１７の上縁よりも上側に配置された駆動ローラー１８とを備えている。なお、水平姿勢の駆動ローラー１８は、第１シート１７の下縁よりも下側にも追加して備えてもよい。
【００７４】
それぞれの駆動ローラー１６，１８には、駆動装置（図示せず）や制御信号や電力の供給のためのケーブル（図示せず）が繋がれていて、水平方向及び垂直方向の移動及び位置制御が可能となっている。
【００７５】
鉛直姿勢の駆動ローラー１６にセットされた長尺な第１シート１７の所定の部分が、前記制御信号と駆動装置によって図１８の正面に来ると、水平姿勢の駆動ローラー１８によって繰り出された第２シート１９と重なり、２枚のシート１７，１９それぞれの基本ユニットなどの組み合わせに特有な幾何学的な装飾模様が現れる。
【００７６】
第２シート１９が基本ユニットＡ−２．０を繰り返し設けたものとし、第１シート１７が基本ユニットＡ’−２．０を繰り返し設けたものとすると、第１シート１７が初期状態（０ｍｍ）において図１０（ａ）に示すように、光線を遮断することが出来る。
【００７７】
鉛直姿勢の駆動ローラー１６によって第１シート１７が繰り出され、基本ユニットＡ’−２．０が６°傾いた状態の第１シート１７が正面に来ると、図４の（ｃ）の６°の模様が現れる。同様に、Ａ’２．０が９０°傾いた状態のシートが正面に来た場合、図４の（ｈ）の模様が現れるのである。
【００７８】
第１シート１７及び第２シート１９の基本ユニットは任意である。また、第２シート１９を長尺にする事も可能である。
【００７９】
図１９は基本ユニットＡ−２．０の第２シート１９と基本ユニットＡ‘−２．０の第１シート１７との組み合わせで、図１９（ａ）に示す初期状態から、シート１７（基本ユニットＡ’−２．０）を０．５ｍｍ、１．０ｍｍ、２．０ｍｍ、３．５ｍｍ、４．０ｍｍと向って右側へ移動させた場合に図１９（ｂ）〜（ｆ）に示すような幾何学的な装飾模様が出現する。
【００８０】
図１９（ｂ）（ｃ）に示す幾何学的な装飾模様では細い三日月が現れている。図１９（ｄ）に示す幾何学的な装飾模様では鼓状が現れている。図１９（ｅ）（ｆ）に示す幾何学的な装飾模様では左右が逆転した三日月が現れる。基本ユニットＡは、横方向の繰り返し寸法が４．３４ｍｍなので（図２（ａ）参照）、移動量が４．３４ｍｍで再び光が遮断される最初の状態となる。
【００８１】
尚、第１シート１７（基本ユニットＡ’−２．０）が右側へ０．５ｍｍ移動した場合の開口率は大略０．１８である。
【００８２】
更に、日差し防止装置４は、第１シート１７を動かさずに、第２シート１９を上下（垂直）方向に移動させると、幾何学的な装飾模様は肉眼ではその模様を変化させずに、左右へ移動する様に見えるのである。更に、第１シート１７と第２シート１９をともに移動させることで、幾何学的な装飾模様を変容させることもできる。
【００８３】
尚、本発明で回転運動とは、一定方向への回転だけでなく逆方向への回転を含むのは当然である。更に前記回転の中心は任意である。回転運動中、同様に直線運動は、逆方向への運動を含むと共に、運動の方向が幾つかあり、或いは連続的に方向が変化しても良い。
【００８４】
本発明では、相対的に変位する２枚のシートの仮想無限平面内で相対的に変位しない点が１箇所あり、他は相対的に変位する運動を回転運動と定義する。回転運動でない相対的変位を直線運動とする。回転しながら直線運動をする相対的変位は、回転運動と直線運動に分離することが出来る。
【００８５】
本発明において、透光部分及び不透明部分を半透明又は着色された半透明とすることは排除されない。本発明に係る装飾調光装置及び装飾模様兼調光の変容方法は、光線や視線を緩和した和らげる目的だけであれば、十分役割を果たすことが出来、そして装飾目的、人目を惹くという目的に対しては有効である。
【００８６】
本発明において透光部は、不透明又は半透明なシートに、ドリルなどで孔を明けるか、若しくはパンチングで加工しても良い。勿論、透明シートの所定の部分に不透明又は半透明なインクを印刷しても良い。
【符号の説明】
【００８７】
１  ショーウインドウ
２  目隠し部
３  装飾部
４  日差し防止装置
５  装飾調光装置部
６  装飾調光装置部
７  装飾調光装置部
８  従動歯車
９  ステッピングモーター
１０  原動歯車
１１  シート巻き出し・巻取り部
１２  シート
１３  駆動装置
１４  駆動装置
１５  シート
１６  駆動ローラー
１７  シート
１８  駆動ローラー
１９  シート
【図１】
2018034479.tif 000003
【図２】
2018034479.tif 000004
【図３】
2018034479.tif 000005
【図４】
2018034479.tif 000006
【図５】
2018034479.tif 000007
【図６】
2018034479.tif 000008
【図７】
2018034479.tif 000009
【図８】
2018034479.tif 000010
【図９】
2018034479.tif 000011
【図１０】
2018034479.tif 000012
【図１１】
2018034479.tif 000013
【図１２】
2018034479.tif 000014
【図１３】
2018034479.tif 000015
【図１４】
2018034479.tif 000016
【図１５】
2018034479.tif 000017
【図１６】
2018034479.tif 000018
【図１７】
2018034479.tif 000019
【図１８】
2018034479.tif 000020
【図１９】
2018034479.tif 000021
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
重ね合わされた状態で相対的に変位可能で、透光部分又は遮光部分を有する複数枚のシートを備え、長方形の各角部の点とこの長方形の中心点の５点を含む基本ユニットの隣り合う２つの辺の各々が平面に対して繰り返すことで規定できる位置又は一辺の長さとこの一辺の端部から対角線をなす線との角度とでもって決まる長方形を平面に対して繰り返すことで規定できる位置を共通にし、少なくとも２枚のシートを１組とし、前記で規定する位置に透光部分又は遮光部分が在るシートを１枚含み、面内で回転可能であるシートを１枚含むことを特徴とする装飾調光装置。
【請求項２】
平面に対して繰り返すことで規定する位置は規則性がある請求項１の装飾調光装置。
【請求項３】
請求項１に記載の一辺の長さとこの一辺の端部から対角線をなす線との角度とでもって規定できる長方形は、一辺の長さと、前記一辺の一端を第１の点とした点から特定の角度を成す直線を引き、前記一辺の他端を第２の点とした点から立てた垂直線が前記特定の角度を成す直線と交わる点を第３の点とする長方形である請求項１又は請求項２の装飾調光装置。
【請求項４】
少なくとも３枚を１組にした前記シートにおいて、少なくとも１枚のシートは面内で回転可能であり、かつ、少なくとも１枚のシートは面内で一定方向に直線状に前進及び後退のいずれか又は双方が可能である請求項１から請求項３までのいずれかの装飾調光装置。
【請求項５】
前記シートは、透明シートによって成形され、前記遮光部分が印刷法でもって透明シートに形成されてなる請求項１から請求項４までのいずれかの装飾調光装置。
【請求項６】
請求項１から請求項５までのいずれかの装飾調光装置で使用するいずれかのシートを、他のシートに対して相対的に回転運動させる装飾模様の変容兼光量の調整方法。
【請求項７】
請求項１から請求項５までのいずれかの装飾調光装置で使用するいずれかのシートを、他のシートに対して相対的に直進運動させる装飾模様の変容兼光量の調整方法。
【請求項８】
前記シートの回転運動及び直進運動のいずれか又は双方は速度が可変である請求項６又は請求項７の装飾模様の変容兼光量の調整方法。
【請求項９】
前記シートの回転運動及び直進運動のいずれか又は双方は一時停止が可能である請求項６又は請求項７の装飾模様の変容兼光量の調整方法。
【請求項１０】
前記回転運動は、独立して運動及び停止のいずれか又は双方をすることができ、連動した運動が自在とされている請求項６、請求項８又は請求項９の装飾模様の変容兼光量の調整方法。
【請求項１１】
前記直進運動は、独立して運動及び停止のいずれか又は双方をすることができ、連動した運動が自在とされている請求項７、請求項８又は請求項９の装飾模様の変容兼光量の調整方法。
【手続補正２】
【補正対象書類名】明細書
【補正対象項目名】００１２
【補正方法】変更
【補正の内容】
【００１２】
本発明に係る装飾調光装置は、重ね合わされた状態で相対的に変位可能な複数枚のシートを備えた装飾調光装置において、前記シートは透光部分と遮光部分とを有し、前記シートの少なくとも１組２枚は、長方形の角部の４箇所とその中心との合計５箇所を基本ユニットとして備えており、該基本ユニットの隣り合う２つの辺の長さを２次元に繰り返すことで規定されるような規則性をもった位置又は一辺の長さとその辺の端部から対角線をなす線との角度とでもって規定できる長方形、つまり一辺の長さと、その一辺の一端を第１の点とした点から特定の角度を成す直線を引き、その一辺の他端を第２の点とした点から立てた垂直線が前記特定の角度を成す直線と交わる点を第３の点とする長方形を２次元に繰り返すことで規定されるような規則性をもった位置を共通にし、内１枚のシートは前記規則性の各位置に透光部分が在り、他の１枚のシートは前記規則性の各位置に遮光部分が在るのみならず、前記シートの少なくとも１組２枚において、少なくとも１枚は面内で回転可能であることを特徴としている。この書類において「２次元」とは平面のことを意味している。また、「シートの少なくとも１組２枚」とは、「少なくとも２枚のシートを１組にした」ということを意味している。
【手続補正３】
【補正対象書類名】明細書
【補正対象項目名】００２９
【補正方法】変更
【補正の内容】
【００２９】
あるいは、図２（ａ）の基本ユニットＡ−２．２の一辺４．３４ｍｍの一端から３０度の角度を成す直線を引く。この３０度の角度を成す直線を引く出発点を第１の点とし、前記一辺４．３４ｍｍの他の端から垂線を引く出発点を第２の点とする。この第２の点からの垂線と、第１の点から引いた３０度の角度を成す直線との交点を第３の点とする。ここで、第１の点、第２の点及び第３の点を頂点とした長方形が出来上がる。第４の頂点は長方形の３つの頂点が確定しているので、おのずと決まる。第１の頂点から第４の頂点からなる長方形、及びその長方形の中心の計５点を基本ユニットとすることができる。前記長方形で、長さ４．３４ｍｍと３０度の角度を成す直線は対角線である。該ユニットは、図２の基本ユニット（ａ）とは異なるが近似しているので、説明を簡略にするため、本発明は図２の基本ユニットでもって説明する。